(57)【要約】【課題】所定の位置関係になるように複数の波動発振器を配置することができる配置具を提供する。【解決手段】生体に作用する波動を空間へ発する複数の波動発振器を配置するための配置具１は、複数の波動発振器をそれぞれ保持する複数の保持部と、複数の保持部が所定の位置関係になるように、各保持部間の距離を規制する規制部材とを備える。規制部材は折り畳み可能な敷物２である。保持部は、敷物の角部にそれぞれ設けられており、波動発振器を出し入れ可能に収納するポケット部３を有する。【選択図】図１
0003214005.tif 000002
【実用新案登録請求の範囲】
【請求項１】
生体に作用する波動を空間へ発する複数の波動発振器を配置するための配置具であって、
前記複数の波動発振器をそれぞれ保持する複数の保持部と、
前記複数の保持部が所定の位置関係になるように、各保持部間の距離を規制する規制部材と
を備える配置具。
【請求項２】
前記規制部材は折り畳み可能な敷物を有する
請求項１に記載の配置具。
【請求項３】
前記敷物は麻布又は綿布を有する
請求項２に記載の配置具。
【請求項４】
前記保持部は、
前記波動発振器を出し入れ可能に収納するポケット部を有する
請求項１〜請求項３までのいずれか一項に記載の配置具。
【請求項５】
前記保持部は、
前記波動発振器を出し入れ可能に収納するポケット部を有し、
前記ポケット部は、
一の長辺部分及び両短辺部分が前記敷物に縫い付けられており、所定方向へ前記波動発振器が挿入されるように他の長辺部分側が開口した第１矩形布片と、
一の長辺部分及び両短辺部分が前記敷物に縫い付けられており、前記所定方向と反対の方向へ前記波動発振器が挿入されるように他の長辺部分側が開口した第２矩形布片と
を有し、
前記第１矩形布片の他の長辺部分には、前記第２矩形布片が重ねられている
請求項２又は請求項３に記載の配置具。
【請求項６】
前記敷物は多角形状をなし、
前記複数の保持部は前記敷物の角部にそれぞれ設けられている
請求項５に記載の配置具。
【請求項７】
前記敷物の角部と、前記敷物の中心部との距離は、前記波動発振器が発する波動の到達距離よりも短い
請求項６に記載の配置具。
【請求項８】
前記敷物は、
各辺の長さが９０ｃｍ以上１５０ｃｍ以下の正方形状をなす
請求項６又は請求項７に記載の配置具。
【考案の詳細な説明】
【技術分野】
【０００１】
本考案は、波動を空間へ発する複数の波動発振器を配置するための配置具に関する。
【背景技術】
【０００２】
生体に対してプラスに作用する特定周波数の波動を空間へ発することによって、当該空間を波動的に良好な状態に調整する波動発振器が実用化されている。波動発振器は住空間調整器とも呼ばれている。波動発振器は、インビトロ試験で細胞の活性化作用が確認されており（例えば、非特許文献１，２）、いわゆるジオパシックストレス、エレクトロスモッグ等による生体への悪影響を低減すると考えられている。
【０００３】
一方、任意の周波数の波動を患者又は被験者へ送出することができる波動送波器が実用化されている（例えば、特許文献１）。人体の各種器官は固有の共鳴周波数を有しており、共鳴周波数は当該器官に疾患が生ずる場合に変化することが確認されている。波動送波器を用いて患者又は被験者へ波動を送出し、波動に対して共鳴する周波数を特定することによって、疾患部位を検出し、波動を送り続けると気の滞り（エネルジェティック・ブロッケード）を解消することができる。
【先行技術文献】
【特許文献】
【０００４】
【特許文献１】欧州特許出願公開第０４３６８４０号明細書
【非特許文献】
【０００５】
【非特許文献１】ペーターシーダルチュ博士（Dr. Peter C. Dartsch）、“ミニレヨネックス  臓器特異的細胞培養における細胞代謝の活性化に関するインビトロ研究”（Mini-Rayonex In vitro-investigations on the activation of cell metabolism in organ-specific cell cultures）、［online］、２０１４年３月１９日、ダルチュサイエンティフィック（dartsch SCIENTIFIC）、［平成２９年９月１３日検索］、インターネット（http://www.paul-schmidt-akademie.de/doks/pdf/Dartsch-EN-Stoffwechsel.pdf）
【非特許文献２】ペーターシーダルチュ博士（Dr. Peter C. Dartsch）、“ミニレヨネックス  培養結合組織線維芽細胞を用いた創傷治癒過程の活性化に関するインビトロ研究”（Mini-Rayonex In vitro-investigations with cultured connective tissue fibroblasts on the stimulation of wound healing process）、［online］、２０１４年４月９日、ダルチュサイエンティフィック（dartsch SCIENTIFIC）、インターネット（http://www.paul-schmidt-akademie.de/doks/pdf/Dartsch-EN-Wundheilung.pdf）
【考案の概要】
【考案が解決しようとする課題】
【０００６】
ところで、ジオパシックストレス等による悪影響が大きな環境では単一の波動発振器を配置しても、空間を良好な状態に調整し切れないことがある。
かかる問題は、複数の波動発振器を用い、これらを適切に配置することで解消し得るが、空間の状態を確認するためには特殊な機器及び検査器具が必要である。一般使用者は、空間の状態を検査しながら波動発振器の適切な位置関係を確認し、各波動発振器を適切に配置することが難しいという問題がある。また、適切な位置関係を把握し得たとしても、使用の都度、波動発振器の適切な配置を実現することに使用者は煩わしさを覚えるという問題がある。
【０００７】
本考案の目的は、所定の位置関係になるように複数の波動発振器を配置することができる配置具を提供することにある。
【課題を解決するための手段】
【０００８】
本考案に係る配置具は、生体に作用する波動を空間へ発する複数の波動発振器を配置するための配置具であって、前記複数の波動発振器をそれぞれ保持する複数の保持部と、前記複数の保持部が所定の位置関係になるように、各保持部間の距離を規制する規制部材とを備える。
【考案の効果】
【０００９】
本考案によれば、所定の位置関係になるように複数の波動発振器を配置することができる。
【図面の簡単な説明】
【００１０】
【図１】本考案の実施形態に係る配置具を示す模式図である。
【図２】ポケット部の構成例を示す模式図である。
【図３】波動発振器をポケット部に保持させる手順を示す使用説明図である。
【図４】配置具及び波動発振器の使用状態を示す説明図である。
【図５】波動発振器の配置態様と、住空間調整効果との関係をまとめた図表である。
【考案を実施するための形態】
【００１１】
以下、本考案をその実施形態を示す図面に基づいて詳述する。
図１は本考案の実施形態に係る配置具１を示す模式図である。図１Ａは配置具１の表面を示す模式図、図１Ｂは配置具１の裏面を示す模式図である。本実施形態に係る配置具１は、４つの波動発振器４（図３及び図４参照）を配置するための敷物（規制部材）２を備える。
ここで使用される波動発振器４は、例えばレヨネックス社製のミニレヨネックス（「レヨネックス」は登録商標）である。当該波動発振器４は、直方体形状の筐体内に波動を発するためのアンテナを２本収容している。一のアンテナは周囲の任意空間に存在する波動を捉え、当該一のアンテナで捉えられた波動は生体に対してプラスに作用する周波数１２．５の波動として、他のアンテナから送出される。当該周波数の波動は、少なくとも細胞を活性化させる作用を有する。波動の到達距離は概ね１．５〜２．０ｍである。筐体の縦横厚み寸法は約９．７ｃｍ、約５．７ｃｍ及び約２．１ｃｍである。波動の到達距離とは、波動発振器４から発せられた波動による生体への作用が認められる波動発振器４の中心部からの最長距離である。生体への作用の有無はレヨネックス社製の波動測定器及び検査器具（ウッドレヨテスト）等を用いて確認することができる。
【００１２】
敷物２は、各辺の長さが約１２０ｃｍの折り畳み可能な正方形シート状をなす。各辺の長さは、少なくとも敷物２の中心部から各角部２ａまでの距離が、波動発振器４が発する波動の到達距離よりも短くなるように設定する。より具体的には各波動発振器４からの波動が重なり合う領域を確保することを考慮して設定する。例えば、波動の到達距離が１．５ｍと仮定した場合、敷物２の各辺の長さを１２０ｃｍに設定すると、敷物２の面内において波動が重なり合う領域は幅が約１３０ｃｍ＝（１５０−６０×√２）×２の湾曲矩形状となり、当該領域は角部２ａを除く敷物２の全域にわたる。また、当該領域の敷物２の中心部における高さは、概ね１２３ｃｍ＝√｛１５０2 −（６０√２）2 ｝となり、敷物２の中心部に座する使用者５（図４参照）を、重ね合わせにより増幅された波動で包み込むことができる。
敷物２は、例えば麻、綿等の天然繊維素材からなる。特に麻布は波動との相性が良く、敷物２の布地として好ましい。特に麻織物の一種である奈良晒がより好ましい。綿布も波動との相性は比較的良く、麻布に代えて利用することができる。化学繊維は波動との相性が悪く、布地としては好ましくない。敷物２の４つの角部２ａには、４つの波動発振器４を出し入れ可能に収納して保持する４つのポケット部（保持部）３が設けられている。敷物２の端縁は公知の任意の方法で始末されている。例えば、敷物２の端縁は数ｃｍ程度、裏側に折り返されて縫い合わされており、更に端ミシンが施されている。なお、敷物２は一枚の布地では無く、複数枚の布地を縫合して構成しても良い。また、敷物２の形状は、幾何学的に正確な正方形をなす必要は無く、複数の波動発振器４から発せされる波動が増幅され得る範囲内で形状及び寸法比等を適宜変更することが可能であり、寸法誤差も許容される。
【００１３】
図２はポケット部３の構成例を示す模式図である。図２Ａは図１Ａ中、敷物２の左下側の角部２ａに設けられたポケット部３を拡大して描いた模式図であり、図２Ｂは図２Ａ中、左側から見た当該ポケット部３の側断面図である。
ポケット部３は、横長の長方形状のポケット裏布３０と、ポケット裏布３０の下側長辺から上側へ折り返され、ポケット表布の下側部分を構成する第１矩形布片３１と、ポケット裏布３０の上側長辺から下側へ折り返され、ポケット表布の上側部分を構成する第２矩形布片３２とを有する。
第１矩形布片３１の下側の長辺部分３１ａ及び両短辺部分３１ｂ，３１ｃは、それぞれ敷物２の隣り合う２辺に沿うようにして、敷物２に縫い付けられている。第１矩形布片３１の上側の長辺部分３１ｄは自由端であり、波動発振器４が図２中、上側から下方（所定方向）へ挿入されるように上方側が開放した開口部Ｂを形成している。第１矩形布片３１の短辺の長さは、ポケット裏布３０の短辺の長さの半分超の長さである。
第２矩形布片３２の上側の長辺部分３２ａ及び両短辺部分３２ｂ，３２ｃは敷物２に縫い付けられている。第２矩形布片３２の下側の長辺部分３２ｄは自由端であり、波動発振器４が下側から上方（所定方向と反対の方向）へ挿入されるように下方側に開放した開口部Ａを形成している。第２矩形布片３２の短辺の長さは、ポケット裏布３０の短辺の長さの半分以上の長さであり、第１矩形布片３１の長辺部分３１ｄには、第２矩形布片３２が重ねられている。
ポケット部３の横寸法は約１４ｃｍ、縦寸法は約１０ｃｍであり、波動発振器４の縦横寸法よりもそれぞれ長い。ポケット部３は敷物２と同じ布地、例えば麻布で構成されている。なお、敷物２及びポケット部３を異なる布地で構成しても良い。
【００１４】
以上の通り、敷物２の左下側のポケット部３について説明したが、他の角部２ａに設けられたポケット部３も同様の構成である。図１Ａ中、敷物２の右下側のポケット部３の開口部Ａは下方側に開口し、開口部Ｂは上方側に開口している。また、敷物２の右上側及び左上側のポケット部３の開口部Ａは上方側に開口し、開口部Ｂは下方側に開口している。
【００１５】
図３は波動発振器４をポケット部３に保持させる手順を示す使用説明図である。使用者５は、図３Ａ中白抜き矢印で示すように、波動発振器４を下側から上側へスライドさせ、開口部Ａからポケット部３の上側部分に挿入する。次いで、使用者５は、図３Ｂに示すように、第１矩形布片３１の長辺部分３１ｄを引き上げ、図３Ｂ中白抜き矢印で示すように、波動発振器４を開口部Ｂからポケット部３の下側部分に挿入する。そして、図３Ｃに示すように、第１矩形布片３１の長辺部分３１ｄに、第２矩形布片３２を重ね合わせて、開口部Ａを整える。
以上の手順により、波動発振器４をポケット部３に収納することができ、敷物２の角部２ａに波動発振器４を保持させることができる。他の角部２ａのポケット部３にも、同様にして波動発振器４を保持させることができる。
【００１６】
図４は配置具１及び波動発振器４の使用状態を示す説明図である。図４Ａは波動発振器４を保持した配置具１を示す平面図であり、図４Ｂは波動発振器４を保持した配置具１を示す側面図である。ここでは、波動発振器４としてミニレヨネックスを利用する場合を説明する。ミニレヨネックスは、主に波動発振器４の厚み方向一面側から波動が発せられるように構成されており、図３及び図４に示すように波動の出射面にはラベル４０が設けられている。図４Ａに示すように、対角をなす２つの角部２ａ、即ち図中左下側及び右上側の角部２ａには２つの波動発振器４のラベル４０が表側を向き、対角をなす他の２つの角部２ａ、即ち図中左上側及び右下側の角部２ａには２つの波動発振器４のラベル４０が裏側を向くようにして、４つの波動発振器４を保持させる。
【００１７】
なお、波動発振器４の表裏を確認する便宜上、ポケット部３を構成する布地は、当該ポケット部３に波動発振器４が収納された際、波動発振器４のラベル４０の位置を外部から視覚的に確認可能な素材又は触覚的に確認できる程度の薄手の素材で構成すると良い。視覚的に確認可能な素材は、光を透過する素材であり、例えば奈良晒が好適である。
【００１８】
上記のように４つの波動発振器４を敷物２の角部２ａに保持させ、敷物２を平坦な床面Ｆに皺無く拡げた場合、４つの波動発振器４は、各辺の長さが約１２０ｃｍの正方形の各頂点の位置に配されることになる。図４Ａ中、左下側及び右上側の角部２ａに保持された波動発振器４は、図４Ａ及び図４Ｂに示すように二点鎖線の仮想線４ａで示すように、主に床面Ｆから上方へ波動を発する。各角部２ａの波動発振器４が発する波動は敷物２の中央部分で重ね合わされて共鳴及び増幅することになり、図４Ｂに示すように敷物２の中央に座し又は横になっている使用者５に作用する波動の効果が増大される。
同様に、図４Ａ中、左上側及び右下側の角部２ａに保持された波動発振器４は、図４Ａ及び図４Ｂに示すように一点鎖線の仮想線４ｂで示すように、主に床面Ｆから下方へ波動を発する。各角部２ａの波動発振器４が発する波動は敷物２の中央部分で重ね合わされて共鳴及び増幅し、使用者５に作用する波動の効果が増大される。
生体への悪影響を与える要因の一つであるジオパシックストレスは、地中から放出されるものであり、かかるジオパシックストレスに対処するためには、床面Ｆの下方へも波動を発するように、波動発振器４を配置することが好ましい。
【００１９】
次に、配置具１を用いて複数の波動発振器４を配置することによる効果を説明する。
図５は波動発振器４の配置態様と、住空間調整効果との関係をまとめた図表である。図表の左欄に示すように、波動発振器４の配置個数、各波動発振器４の位置関係、波動発振器４を配置する向き等、波動発振器４の配置態様を変化させ、波動発振器４が空間に与える影響を検査した。当該検査で使用した波動発振器４は、レヨネックス社製のミニレヨネックス（「レヨネックス」は登録商標）である。配置具１を用いて配置された波動発振器４による住空間調整効果、即ち波動が生体に与える影響は、レヨネックス社製の波動測定器及び検査器具（ウッドレヨテスト）等を用いて確認することができる。
【００２０】
図５の図表中、上段に示すように、配置具１を用いて２個の波動発振器４を配置した場合、具体的には対角をなす角部２ａにラベル４０を表側に向けて２個の波動発振器４を配置した場合、波動の影響は弱く、空間に対する住空間調整効果は限定的である。一方、配置具１を用いて４個の波動発振器４を配置した場合、波動の影響は強く、十分な住空間調整効果が得られた。
【００２１】
また、図５の図表中、中段に示すように、１８０ｃｍ×１８０ｃｍの正方形の各角部２ａに波動発振器４を配置した場合、波動の共鳴及び増幅が認められなかった。
１５０ｃｍ×１５０ｃｍの正方形の各角部２ａに波動発振器４を配置した場合、波動の共鳴及び増幅は弱く、空間に対する住空間調整効果は限定的である。
１２０ｃｍ×１２０ｃｍの正方形の各角部２ａに波動発振器４を配置した場合、波動の共鳴及び増幅は強く、十分な住空間調整効果が得られた。
９０ｃｍ×９０ｃｍの正方形の各角部２ａに波動発振器４を配置した場合、波動の共鳴及び増幅は弱く、空間に対する住空間調整効果は限定的である。
【００２２】
更に、図５の図表中、下段に示すように、４つの波動発振器４を全て表向きに配置した場合、配置具１が配置された床上のみに波動の影響があり、４つの波動発振器４を全て裏向きに配置した場合、配置具１が配置された床下のみに波動の影響がある。いずれの配置においても、ジオパシックストレス、エレクトロスモッグ等による悪影響が大きな空間に対する住空間調整効果は限定的である。
一方、図４に示すように対角をなす２つの角部２ａに配された２つの波動発振器４が床面Ｆの上方へ波動を発し、他の２つの角部２ａに配された２つの波動発振器４が床面Ｆの下方へ波動を発するように配置した場合、床上及び床下の双方に波動が影響し、十分な住空間調整効果が得られた。
【００２３】
以上の検査結果から明らかなように、本実施形態に係る配置具１を用いることによって、１２０ｃｍ×１２０ｃｍの正方形の各角部に位置するように４つの波動発振器４を配置することができ、効果的に空間を波動的に良好な状態に調整することができる。特に、図４に示すように波動発振器４から床面Ｆの上方及び下方へ波動が発せられるように配置することによって、より効果的な住空間調整効果を得ることができる。
【００２４】
以上の通り、本実施形態に係る配置具１によれば、所定の位置関係になるように複数の波動発振器４を配置することができる。
【００２５】
本実施形態の配置具１は敷物２の形態であり、ポケット部３に波動発振器４を収納させ、敷物２を床面Ｆに拡げるだけで、正方形の各頂点に波動発振器４を配置することができ、効果的に空間を波動的に良好な状態にすることができる。
また、配置具１の基本構成は敷物２であるため、折り畳むことができ、取扱性に優れている。
更に、敷物２は波動との相性が良い麻布であるため、より効果的に空間を波動的に良好な状態にすることができる。
【００２６】
更にまた、各波動発振器４をポケット部３に収納することによって、各波動発振器４を敷物２の各角部２ａに保持させることができ、当該波動発振器４の位置ずれを防止することができる。
更にまた、波動発振器４は、異なる方向に開放した開口部Ａ及び開口部Ｂを通じてポケット部３に収容され、開口部Ｂは第２矩形布片３２で覆われる構成であるため、波動発振器４をポケット部３から簡単に外れないように保持させることができる。しかも、図２及び図３に示すように、波動発振器４を容易にポケット部３に収納させることができる。
更にまた、ポケット部３に収納された波動発振器４の表裏を外部から視覚的又は触覚的に確認することができ、適切に波動発振器４を配置することができる。
【００２７】
更にまた、配置具１は各辺の長さが約１２０ｃｍの正方形状の敷物２を有し、各角部２ａにポケット部３を設ける構成であるため、波動の増幅及び取扱性の双方に優れた形状及び寸法となり、適当な数の波動発振器４を用いて、敷物２の中心部の空間を波動的に良好な状態にすることができる。
【００２８】
なお、本実施形態では、ポケット部３の位置関係を規制する規制部材の一例として敷物２を説明したが、特にこれに限定されるものでは無い。例えば、規制部材はベッド等の寝具であっても良い。この場合、波動発振器４を保持する複数の保持部を正方形の各頂点に位置するよう、寝具の適宜箇所に設けると良い。その他、椅子、テーブル、枠状の部材を規制部材として利用することも考えられる。
また、波動発振器４を保持する保持部の例としてポケット部３を例示したが、ポケット形態は保持部の一例であり、波動発振器４の位置を固定できるものであれば、その構成は特に限定されるものでは無い。例えば、保持部は、波動発振器４を敷物２に締結する伸縮性を有するバンド、紐、面ファスナー等であっても良い。
更に、敷物２の形状及び寸法として、４辺の長さが１２０ｃｍの正方形を例示したが、敷物２の各辺の長さは９０ｃｍ以上１２０ｃｍ以下、又は１２０ｃｍ以上１５０ｃｍ以下の範囲で構成することも考えられる。また、敷物２の形状は必ずしも正方形状に限定されるものでは無く、長手方向を有する矩形状、その他の多角形状であっても良い。配置する波動発振器４の特性、即ち波動の強度、波動を発する向き等に応じて、その形状及び寸法を適宜変更しても良い。
更にまた、敷物２に４つの波動発振器４を配置する例を説明したが、その数は限定されるものでは無く、２つ、３つ、又は５つ以上の保持部乃至ポケット部３を設けても良い。６つのポケット部３を配置する場合、例えば１２０ｃｍ×２４０ｃｍの長方形の敷物２の４つの角部２ａと、長辺の中央部分の２箇所にポケット部３を設けると良い。
更にまた、主に敷物２を天然繊維素材で構成する例を説明したが、化学繊維を布地として使用した配置具を本考案の範囲から完全に除外するものでは無い。住空間調整効果は限定的であるものの、配置具１の全部又は一部を化学繊維で構成しても良い。
【００２９】
今回開示された実施形態はすべての点で例示であって、制限的なものではないと考えられるべきである。本考案の範囲は、上記した意味ではなく、実用新案登録請求の範囲によって示され、実用新案登録請求の範囲と均等の意味及び範囲内でのすべての変更が含まれることが意図される。
【符号の説明】
【００３０】
１  配置具
２  敷物（規制部材）
２ａ  角部
３  ポケット部（保持部）
４  波動発振器
５  使用者
３０  ポケット裏布
３１  第１矩形布片
３１ａ，３１ｄ  第１矩形布片の長辺部分
３１ｂ，３１ｃ  第１矩形布片の短辺部分
３２  第２矩形布片
３２ａ，３２ｄ  第２矩形布片の長辺部分
３２ｂ，３２ｃ  第２矩形布片の短辺部分
４０  ラベル
Ａ，Ｂ  開口部
Ｆ  床面
【図１】
0003214005.tif 000003
【図２】
0003214005.tif 000004
【図３】
0003214005.tif 000005
【図４】
0003214005.tif 000006
【図５】
0003214005.tif 000007